(57)【特許請求の範囲】
【請求項１】
第１領域と、前記第１領域の少なくとも１つの縁部側に設けられている第２領域とが設けられているＡＭＯＬＥＤ表示パネルであって、
基板と、
画素ユニットであって、
前記基板の表面にアレイ状に配列されて、薄膜トランジスタを含むスイッチングユニットと、
前記スイッチングユニットに対応して設けられて、対応する前記薄膜トランジスタに接続された発光素子と、
前記基板上の前記第２領域に対応する位置に設けられて、前記薄膜トランジスタに接続された駆動回路と、を含む画素ユニットと、を含み、
少なくとも４つの前記スイッチングユニットからなるスイッチングユニットアレイが前記第１領域に設けられ、少なくとも４つの前記発光素子からなる発光素子アレイが前記第１領域及び前記第２領域に設けられ、
前記第２領域に設けられている前記発光素子は、前記駆動回路を覆っており、
前記基板は、第１エッジと、前記第１エッジに隣接する第２エッジとを含み、
前記駆動回路は、前記第１エッジに近いゲート駆動モジュールと、前記第２エッジに近いデータ信号駆動モジュールと、を含み、
前記発光素子アレイは、前記ゲート駆動モジュールを第１の方向に沿って覆い、前記データ信号駆動モジュールを前記第１の方向と直交する第２の方向に沿って覆い、
前記発光素子アレイは、第１の発光素子アレイ、第２の発光素子アレイ及び第３の発光素子アレイを含み、前記第１の発光素子アレイが前記第３の発光素子アレイの前記第１の方向における一方の縁部側に位置し、前記第２の発光素子アレイが前記第３の発光素子アレイの前記第２の方向における一方の縁部側に位置し、
前記第１の方向において、前記第１の発光素子アレイにおける前記発光素子のサイズは、前記第３の発光素子アレイにおける前記発光素子のサイズよりも大きく、
前記第２の方向において、前記第２の発光素子アレイにおける前記発光素子のサイズは、前記第３の発光素子アレイにおける前記発光素子のサイズよりも大きく、
前記第１の発光素子アレイにおいて、前記第１の方向に沿って、前記ゲート駆動モジュールから遠い端部から前記ゲート駆動モジュールに近い端部に近づくにつれて、前記第１の方向における前記第１の発光素子アレイにおける前記発光素子の長さが逓増し、
前記第２の発光素子アレイにおいて、前記第２の方向に沿って、前記データ信号駆動モジュールから遠い端部から前記データ信号駆動モジュールに近い端部に近づくにつれて、第２の方向における前記第２の発光素子アレイにおける前記発光素子の長さが逓増し、
前記第１の発光素子アレイにおいて、前記第１の方向に沿って、連続する前記発光素子の増加差分ｙ＝ゲート駆動モジュールの幅ｘ／間隔数ｎであり、
前記第２の発光素子アレイにおいて、前記第２の方向に沿って、連続する前記発光素子の増加差分ｙ'＝データ信号駆動モジュール幅ｘ'／間隔数ｍである、ＡＭＯＬＥＤ表示パネル。
【請求項２】
前記発光素子に対応する第１領域の第１長辺の長さは、前記スイッチングユニットに対応する第２領域の第２長辺の長さよりも大きく、前記第１領域の第１短辺の長さは、前記第２領域の第２短辺の長さよりも大きく、
前記第１領域は、第１投影が矩形化された後に対応する領域であり、前記第２領域は、第２投影が矩形化された後に対応する領域であり、
前記第１投影は、前記ＡＭＯＬＥＤ表示パネルが存在する平面への前記発光素子の投影であり、前記第２投影は、前記ＡＭＯＬＥＤ表示パネルが存在する平面への前記スイッチングユニットの投影である請求項１に記載のＡＭＯＬＥＤ表示パネル。
【請求項３】
前記第３の発光素子アレイにおける前記発光素子のそれぞれは、同じサイズを有する請求項１又は２に記載のＡＭＯＬＥＤ表示パネル。
【請求項４】
封止カバー及びＡＭＯＬＥＤ表示パネルを含み、前記ＡＭＯＬＥＤ表示パネルには第１領域と、前記第１領域の少なくとも１つの縁部側に設けられている第２領域とが設けられており、前記ＡＭＯＬＥＤ表示パネルは、
基板と、
画素ユニットであって、
前記基板の表面にアレイ状に配列されて、薄膜トランジスタを含むスイッチングユニットと、
前記スイッチングユニットに対応して設けられて、対応する前記薄膜トランジスタに接続された発光素子と、
前記基板上の前記第２領域に対応する位置に設けられて、前記薄膜トランジスタに接続された駆動回路と、を含む画素ユニットと、を含み、
少なくとも４つの前記スイッチングユニットからなるスイッチングユニットアレイが前記第１領域に設けられ、少なくとも４つの前記発光素子からなる発光素子アレイが前記第１領域及び前記第２領域に設けられ、
前記第２領域に設けられている前記発光素子は、前記駆動回路を覆っており、
前記基板は、第１エッジと、前記第１エッジに隣接する第２エッジとを含み、
前記駆動回路は、前記第１エッジに近いゲート駆動モジュールと、前記第２エッジに近いデータ信号駆動モジュールと、を含み、
前記発光素子アレイは、前記ゲート駆動モジュールを第１の方向に沿って覆い、前記データ信号駆動モジュールを前記第１の方向と直交する第２の方向に沿って覆っており、
前記発光素子アレイは、第１の発光素子アレイ、第２の発光素子アレイ及び第３の発光素子アレイを含み、前記第１の発光素子アレイが前記第３の発光素子アレイの前記第１の方向における一方の縁部側に位置し、前記第２の発光素子アレイが前記第３の発光素子アレイの前記第２の方向における一方の縁部側に位置し、
前記第１の方向において、前記第１の発光素子アレイにおける前記発光素子のサイズは、前記第３の発光素子アレイにおける前記発光素子のサイズよりも大きく、
前記第２の方向において、前記第２の発光素子アレイにおける前記発光素子のサイズは、前記第３の発光素子アレイにおける前記発光素子のサイズよりも大きく、
前記第１の発光素子アレイにおいて、前記第１の方向に沿って、前記ゲート駆動モジュールから遠い端部から前記ゲート駆動モジュールに近い端部に近づくにつれて、前記第１の方向における前記第１の発光素子アレイにおける前記発光素子の長さが逓増し、
前記第２の発光素子アレイにおいて、前記第２の方向に沿って、前記データ信号駆動モジュールから遠い端部から前記データ信号駆動モジュールに近い端部に近づくにつれて、第２の方向における前記第２の発光素子アレイにおける前記発光素子の長さが逓増し、
前記第１の発光素子アレイにおいて、前記第１の方向に沿って、連続する前記発光素子の増加差分ｙ＝ゲート駆動モジュールの幅ｘ／間隔数ｎであり、
前記第２の発光素子アレイにおいて、前記第２の方向に沿って、連続する前記発光素子の増加差分ｙ'＝データ信号駆動モジュール幅ｘ'／間隔数ｍである、ＡＭＯＬＥＤ表示装置。
【請求項５】
前記発光素子に対応する第１領域の第１長辺の長さは、前記スイッチングユニットに対応する第２領域の第２長辺の長さよりも大きく、前記第１領域の第１短辺の長さは、前記第２領域の第２短辺の長さよりも大きく、
前記第１領域は、第１投影が矩形化された後に対応する領域であり、前記第２領域は、第２投影が矩形化された後に対応する領域であり、
前記第１投影は、前記ＡＭＯＬＥＤ表示パネルが存在する平面への前記発光素子の投影であり、前記第２投影は、前記ＡＭＯＬＥＤ表示パネルが存在する平面への前記スイッチングユニットの投影である請求項４に記載のＡＭＯＬＥＤ表示装置。
【請求項６】
前記第３の発光素子アレイにおける前記発光素子のそれぞれは、同じサイズを有する請求項４又は５に記載のＡＭＯＬＥＤ表示装置。
【発明の詳細な説明】
【技術分野】
【０００１】
本発明は、表示技術分野に関し、特にＡＭＯＬＥＤ表示パネル及び当該ＡＭＯＬＥＤ表示パネルを有する表示装置に関する。
【背景技術】
【０００２】
フラットパネルディスプレイ技術の高速な発展に伴い、アクティブマトリクス型有機発光ダイオード（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ，ＡＭＯＬＥＤ）ディスプレイは、従来の液晶ディスプレイ（Ｌｉｑｕｉｄ  Ｃｒｙｓｔａｌ  Ｄｉｓｐｌａｙ，ＬＣＤ）に比べて、軽量化、薄型化であることに加え、自発光、低消費電力、バックライト不要、視野角制限なし、高応答速度等の優れた特性を有しており、次世代のフラットパネルディスプレイ技術の主流となって、ますます広く使用されている。
【０００３】
今のところ、業界では、従来の外部接続用の集積回路（Ｉｎｔｅｇｒａｔｅｄ  Ｃｉｒｃｕｉｔ，ＩＣ）の代わりに、ＡＭＯＬＥＤ表示パネルの回路駆動を基本的にアレイ基板行駆動（Ｇａｔｅ  Ｄｒｉｖｅｒ  Ｏｎ  Ａｒｒａｙ，ＧＯＡと略称される）技術により実現している。ＧＯＡ技術は、製造工程を簡略化し、製品コストを削減し、パネル全体の集積度を高め、パネルをより薄型化する。しかしながら、従来のＡＭＯＬＥＤ表示パネルでは、特に小型の表示パネルでは、ＧＯＡ回路が表示パネル側に位置し、大きな面積を占めて表示できず、画面全体の表示可能な割合（画面占有率）に直接影響を与えるという欠点がある。
【０００４】
以上のように、従来技術のＡＭＯＬＥＤ表示パネルは、ＧＯＡ回路の表示パネルのエッジ領域を占める面積が大きく、ＡＭＯＬＥＤ表示パネルの表示装置における画面占有率の低下を招き、フル画面の実現が困難になる。
【発明の概要】
【発明が解決しようとする課題】
【０００５】
本発明は、従来のＡＭＯＬＥＤ表示パネルにおいて、ＧＯＡ回路の表示パネルのエッジ領域の大きな面積を占有し、ＡＭＯＬＥＤ表示パネルの表示装置における画面占有率の低下を招き、フル画面の実現が困難になるという技術的問題を解決するために、ＧＯＡ回路の対応領域に画像を表示することが可能なＡＭＯＬＥＤ表示パネルを提供する。
【課題を解決するための手段】
【０００６】
上記の技術的課題を解決するために、本発明は下記の技術的手段を提供する。
【０００７】
本発明は、第１領域と、前記第１領域の少なくとも１つの縁部側に設けられている第２領域とが設けられているＡＭＯＬＥＤ表示パネルを提供し、前記ＡＭＯＬＥＤ表示パネルは、
基板と、
画素ユニットであって、
前記基板の表面にアレイ状に配列されて、薄膜トランジスタを含むスイッチングユニットと、
前記スイッチングユニットに対応して設けられて、対応する前記薄膜トランジスタに接続された発光素子と、
前記基板上の前記第２領域に対応する位置に設けられて、前記薄膜トランジスタに接続された駆動回路と、を含む画素ユニットと、を含み、
少なくとも４つの前記スイッチングユニットからなるスイッチングユニットアレイが前記第１領域に設けられ、少なくとも４つの前記発光素子からなる発光素子アレイが前記第１領域及び前記第２領域に設けられ、
前記第２領域に設けられている前記発光素子は、前記駆動回路を覆っており、
前記基板は、第１エッジと、前記第１エッジに隣接する第２エッジとを含み、
前記駆動回路は、前記第１エッジに近いゲート駆動モジュールと、前記第２エッジに近いデータ信号駆動モジュールと、を含み、
前記発光素子アレイは、前記ゲート駆動モジュールを第１の方向に沿って覆い、前記データ信号駆動モジュールを前記第１の方向と直交する第２の方向に沿って覆う。
【０００８】
本発明の好ましい実施例によれば、前記発光素子アレイは、第１の発光素子アレイ、第２の発光素子アレイ及び第３の発光素子アレイを含み、前記第１の発光素子アレイが前記第３の発光素子アレイの前記第１の方向における一方の縁部側に位置し、前記第２の発光素子アレイが前記第３の発光素子アレイの前記第２の方向における一方の縁部側に位置し、
前記第１の方向において、前記第１の発光素子アレイにおける前記発光素子のサイズは、前記第３の発光素子アレイにおける前記発光素子のサイズよりも大きく、
前記第２の方向において、前記第２の発光素子アレイにおける前記発光素子のサイズは、前記第３の発光素子アレイにおける前記発光素子のサイズよりも大きい。
【０００９】
本発明の好ましい実施例によれば、前記発光素子に対応する第１領域の第１長辺の長さは、前記スイッチングユニットに対応する第２領域の第２長辺の長さよりも大きく、前記第１領域の第１短辺の長さは、前記第２領域の第２短辺の長さよりも大きく、
前記第１領域は、第１投影が矩形化された後に対応する領域であり、前記第２領域は、第２投影が矩形化された後に対応する領域であり、
前記第１投影は、前記ＡＭＯＬＥＤ表示パネルが存在する平面への前記発光素子の投影であり、前記第２投影は、前記ＡＭＯＬＥＤ表示パネルが存在する平面への前記スイッチングユニットの投影である。
【００１０】
本発明の好ましい実施例によれば、前記発光素子アレイにおける前記発光素子のそれぞれは、同じサイズを有する。
【００１１】
本発明の好ましい実施例によれば、前記第１の発光素子アレイの少なくとも１つの方向における前記発光素子のそれぞれは、異なるサイズを有し、前記第２の発光素子アレイの少なくとも１つの方向における前記発光素子のそれぞれは、異なるサイズを有する。
【００１２】
本発明は、第１領域と、前記第１領域の少なくとも１つの縁部側に設けられている第２領域とが設けられている別のＡＭＯＬＥＤ表示パネルをさらに提供し、前記ＡＭＯＬＥＤ表示パネルは、
基板と、
画素ユニットであって、
前記基板の表面にアレイ状に配列されて、薄膜トランジスタを含むスイッチングユニットと、
前記スイッチングユニットに対応して設けられて、対応する前記薄膜トランジスタに接続された発光素子と、
前記基板上の前記第２領域に対応する位置に設けられて、前記薄膜トランジスタに接続された駆動回路と、を含む画素ユニットと、を含み、
少なくとも４つの前記スイッチングユニットからなるスイッチングユニットアレイが前記第１領域に設けられ、少なくとも４つの前記発光素子からなる発光素子アレイが前記第１領域及び前記第２領域に設けられ、
前記第２領域に設けられている前記発光素子は、前記駆動回路を覆っている。
【００１３】
本発明の好ましい実施例によれば、前記発光素子アレイは、第１の発光素子アレイ、第２の発光素子アレイ及び第３の発光素子アレイを含み、前記第１の発光素子アレイが前記第３の発光素子アレイの第１の方向における一方の縁部側に位置し、前記第２の発光素子アレイが前記第３の発光素子アレイの前記第１の方向と直交する第２の方向における一方の縁部側に位置し、
前記第１の方向において、前記第１の発光素子アレイにおける前記発光素子のサイズは、前記第３の発光素子アレイにおける前記発光素子のサイズよりも大きく、
前記第２の方向において、前記第２の発光素子アレイにおける前記発光素子のサイズは、前記第３の発光素子アレイにおける前記発光素子のサイズよりも大きい。
【００１４】
本発明の好ましい実施例によれば、前記発光素子に対応する第１領域の第１長辺の長さは、前記スイッチングユニットに対応する第２領域の第２長辺の長さよりも大きく、前記第１領域の第１短辺の長さは、前記第２領域の第２短辺の長さよりも大きく、
前記第１領域は、第１投影が矩形化された後に対応する領域であり、前記第２領域は、第２投影が矩形化された後に対応する領域であり、
前記第１投影は、前記ＡＭＯＬＥＤ表示パネルが存在する平面への前記発光素子の投影であり、前記第２投影は、前記ＡＭＯＬＥＤ表示パネルが存在する平面への前記スイッチングユニットの投影である。
【００１５】
本発明の好ましい実施例によれば、前記発光素子アレイにおける前記発光素子のそれぞれは、同じサイズを有する。
【００１６】
本発明の好ましい実施例によれば、前記第１の発光素子アレイの少なくとも１つの方向における前記発光素子のそれぞれは、異なるサイズを有し、前記第２の発光素子アレイの少なくとも１つの方向における前記発光素子のそれぞれは、異なるサイズを有する。
【００１７】
本発明の上記目的によれば、封止カバー及びＡＭＯＬＥＤ表示パネルを含むＡＭＯＬＥＤ表示装置を提供し、前記ＡＭＯＬＥＤ表示パネルには第１領域と、前記第１領域の少なくとも１つの縁部側に設けられている第２領域とが設けられており、前記ＡＭＯＬＥＤ表示パネルは、
基板と、
画素ユニットであって、
前記基板の表面にアレイ状に配列されて、薄膜トランジスタを含むスイッチングユニットと、
前記スイッチングユニットに対応して設けられて、対応する前記薄膜トランジスタに接続された発光素子と、
前記基板上の前記第２領域に対応する位置に設けられて、前記薄膜トランジスタに接続された駆動回路と、を含む画素ユニットと、を含み、
少なくとも４つの前記スイッチングユニットからなるスイッチングユニットアレイが前記第１領域に設けられ、少なくとも４つの前記発光素子からなる発光素子アレイが前記第１領域及び前記第２領域に設けられ、
前記第２領域に設けられている前記発光素子は、前記駆動回路を覆っている。
【００１８】
本発明の好ましい実施例によれば、前記基板は、第１エッジと、前記第１エッジに隣接する第２エッジとを含み、
前記駆動回路は、前記第１エッジに近いゲート駆動モジュールと、前記第２エッジに近いデータ信号駆動モジュールと、を含み、
前記発光素子アレイは、前記ゲート駆動モジュールを第１の方向に沿って覆い、前記データ信号駆動モジュールを前記第１の方向と直交する第２の方向に沿って覆う。
【００１９】
本発明の好ましい実施例によれば、前記発光素子アレイは、第１の発光素子アレイ、第２の発光素子アレイ及び第３の発光素子アレイを含み、前記第１の発光素子アレイが前記第３の発光素子アレイの前記第１の方向における一方の縁部側に位置し、前記第２の発光素子アレイが前記第３の発光素子アレイの前記第２の方向における一方の縁部側に位置し、
前記第１の方向において、前記第１の発光素子アレイにおける前記発光素子のサイズは、前記第３の発光素子アレイにおける前記発光素子のサイズよりも大きく、
前記第２の方向において、前記第２の発光素子アレイにおける前記発光素子のサイズは、前記第３の発光素子アレイにおける前記発光素子のサイズよりも大きい。
【００２０】
本発明の好ましい実施例によれば、前記発光素子に対応する第１領域の第１長辺の長さは、前記スイッチングユニットに対応する第２領域の第２長辺の長さよりも大きく、前記第１領域の第１短辺の長さは、前記第２領域の第２短辺の長さよりも大きく、
前記第１領域は、第１投影が矩形化された後に対応する領域であり、前記第２領域は、第２投影が矩形化された後に対応する領域であり、
前記第１投影は、前記ＡＭＯＬＥＤ表示パネルが存在する平面への前記発光素子の投影であり、前記第２投影は、前記ＡＭＯＬＥＤ表示パネルが存在する平面への前記スイッチングユニットの投影である。
【００２１】
本発明の好ましい実施例によれば、前記発光素子アレイにおける前記発光素子のそれぞれは、同じサイズを有する。
【００２２】
本発明の有益な効果は以下の通りであり、本発明に係るＡＭＯＬＥＤ表示パネルは、従来のＡＭＯＬＥＤ表示パネルに比べて、ＯＬＥＤ表示デバイスがＧＯＡ回路の表面まで延在してＧＯＡ回路を隠すとともに、ＡＭＯＬＥＤ表示パネルの表示面積を広くし、ＡＭＯＬＥＤ表示パネルの画面占有率を向上させ、従来のＡＭＯＬＥＤ表示パネルにおいて、ＧＯＡ回路の表示パネルのエッジ領域の大きな面積を占有し、ＡＭＯＬＥＤ表示パネルの表示装置における画面占有率の低下を招き、フル画面の実現が困難になるという技術的問題を解決する。
【００２３】
以下、実施例又は従来技術における技術的手段をより明確に説明するために、実施例又は従来技術の説明に使用する添付図面を簡単に説明するが、以下の説明における添付図面は、本発明のいくつかの実施例に過ぎなく、当業者にとっては創造的努力なしにこれらの図面から他の図面を導き出すこともできることは明らかである。
【図面の簡単な説明】
【００２４】
【図１】図１は、本発明に係るＡＭＯＬＥＤ表示パネルの一構成を示す概略図である。
【図２Ａ】図２Ａは、本発明に係るＡＭＯＬＥＤ表示パネルの実施例の一構成を示す概略図である。
【図２Ｂ】図２Ｂは、図２ＡのＡ−Ａ’におけるさらなる断面図である。
【図２Ｃ】図２Ｃは、図２ＡのＡ−Ａ’におけるまたさらなる断面図である。
【図３】図３は、本発明に係るＡＭＯＬＥＤ表示パネルの実施例２の構造を示す概略図である。
【図４】図４は、本発明に係るＡＭＯＬＥＤ表示パネルの実施例３の構造を示す概略図である。
【発明を実施するための形態】
【００２５】
以下、本発明を実施するための特定の実施例を例示するために、添付されている図面を参照して各実施例を説明する。［上］、［下］、［前］、［後］、［左］、［右］、［内］、［外］、「側面］などの本発明で言及される方向の用語は、単に添付図面を参照する方向に過ぎない。従って、方向の用語は、本発明を説明して理解するために使用され、本発明を限定するためのものではない。図面において、構造的に同様の要素は同じ符号で示されている。
【００２６】
本発明は、従来のＡＭＯＬＥＤ表示パネルにおいて、ＧＯＡ回路の表示パネルのエッジ領域を占める面積が大きく、ＡＭＯＬＥＤ表示パネルの表示装置における画面占有率の低下を招き、フル画面の実現が困難になるという技術的問題に対して、本実施例により該欠陥を解決することができる。
【００２７】
図１に示すように、本発明に係るＡＭＯＬＥＤ表示パネルには、第１領域１０１と、前記第１領域１０１の少なくとも１つの縁部側に設けられている第２領域１０２とが設けられている。
【００２８】
前記ＡＭＯＬＥＤ表示パネルは、基板１０４を含み、前記基板１０４の表面に画素ユニット及び駆動回路が設けられている。前記画素ユニットは、前記基板１０４の表面にアレイ状に配列されて、薄膜トランジスタを含むスイッチングユニットと、前記スイッチングユニットに対応して設けられて、対応する前記薄膜トランジスタに接続された発光素子とを含む。
【００２９】
前記駆動回路は、前記第２領域１０２に対応する位置にあり、前記薄膜トランジスタに接続される。
【００３０】
前記第１領域１０１内にスイッチングユニットアレイが設けられ、前記第１領域１０１及び前記第２領域１０２内に前記発光素子アレイが設けられ、前記発光素子アレイのうち、前記第２領域１０２内に設けられた前記発光素子が前記駆動回路を覆っている。
【００３１】
前記基板１０４は第１エッジ（第１縁部）と、前記第１エッジと隣接する第２エッジ（第２縁部）とを含み、前記駆動回路は、前記第１エッジの近くに設けられているゲート駆動モジュール１０３１と、前記第２エッジの近くに設けられているデータ信号駆動モジュール１０３２と、を含む。
【００３２】
前記発光素子アレイは、前記ゲート駆動モジュールを第１の方向に沿って覆い、前記データ信号駆動モジュールを第１の方向と直交する第２の方向に沿って覆う。
【００３３】
前記薄膜トランジスタは、ゲート、ソース及びドレインを含み、前記薄膜トランジスタのゲートが前記ゲート駆動モジュール１０３１に接続され、前記薄膜トランジスタのソースが前記データ信号駆動モジュール１０３２に接続され、前記薄膜トランジスタのドレインが前記発光素子に接続され、例えば、前記発光素子は積層して設けられている金属陽極、電子輸送層、エミッタ層、正孔輸送層及び金属陰極を含み、前記金属陽極は、前記薄膜トランジスタのドレインに接続され、前記発光素子の前記基板１０４から遠い側に位置する。
［実施例１］
【００３４】
図２Ａ、２Ｂに示すように、本発明に係るＡＭＯＬＥＤ表示パネルは、基板２０１と、前記基板２０１に設けられた前記発光素子アレイ、スイッチングユニット２０５及びゲート駆動モジュール２０６と、を含む。
【００３５】
前記発光素子アレイは、第１の発光素子アレイ２０２、第２の発光素子アレイ２０３及び第３の発光素子アレイ２０４を含み、前記第１の発光素子アレイ２０２が前記第３の発光素子アレイ２０４の第１の方向における一方の縁部側に位置し、前記第２の発光素子アレイ２０３が前記第３の発光素子アレイ２０４の第１の方向と直交する第２の方向における一方の縁部側に位置する。
【００３６】
前記第３の発光素子アレイ２０４は、前記ＡＭＯＬＥＤ表示パネルの第１領域内に対応して位置し、前記第１の発光素子アレイ２０２及び前記第２の発光素子アレイ２０３は、前記ＡＭＯＬＥＤ表示パネルの第２領域内に位置する。
【００３７】
例えば、前記ゲート駆動モジュール２０６は前記第１の発光素子アレイ２０２の下方に対応して位置し、前記データ信号駆動モジュールは前記第２の発光素子アレイ２０３の下方に対応して位置する。
【００３８】
前記第１の方向において、前記第１の発光素子アレイ２０２における前記発光素子のサイズは、前記第３の発光素子アレイ２０４における前記発光素子のサイズよりも大きい。
【００３９】
前記第２の方向において、前記第２の発光素子アレイ２０３における前記発光素子のサイズは、前記第３の発光素子アレイ２０４における前記発光素子のサイズよりも大きい。
【００４０】
例えば、前記第１の発光素子アレイ２０２における前記発光素子のサイズと、前記第２の発光素子アレイ２０３における前記発光素子のサイズとは同じである。
【００４１】
本発明の実施例において、前記表示層２０２のうち前記駆動回路に近い部分の前記発光素子のサイズのみを変化させ、それに対して、前記表示層２０２全体の変動量が少なく、前記発光素子のサイズ計算量を低減させて、エラー率を低減して、さらに製造工程が相対的に簡単であり、前記表示層２０２は発光素子のサイズを２種だけ有し、前記発光素子を製造する際に用いるマスクプレートの設計は相対的に簡単であり、第１の発光素子アレイ２０２及び第２の発光素子アレイ２０３に対応する領域のサイズのみを変更すればよい。
【００４２】
図２Ｃに示すように、本発明に係るＡＭＯＬＥＤ表示パネルは、基板２０１と、前記基板２０１に設けられた前記発光素子アレイと、を含む。本発明の実施例と図２Ｂに示す実施例との区別は、前記第１の発光素子アレイ２０２の少なくとも１つの方向における前記発光素子のそれぞれは、異なるサイズを有し、前記第２の発光素子アレイ２０３の少なくとも１つの方向における前記発光素子のそれぞれは、異なるサイズを有することである。
【００４３】
具体的には、前記第１の発光素子アレイ２０２において、前記第１の方向に沿って、前記ゲート駆動モジュール２０６から遠い端部から前記ゲート駆動モジュール２０６に近い端部に近づくにつれて、前記第１の方向における前記第１の発光素子アレイ２０２における前記発光素子の長さが逓増し、前記第２の発光素子アレイ２０３において、前記第２の方向に沿って、前記データ信号駆動モジュールから遠い端部から前記データ信号駆動モジュールに近い端部に近づくにつれて、第２の方向における前記第２の発光素子アレイ２０３における前記発光素子の長さが逓増している。
【００４４】
前記第１の発光素子アレイ２０２において、前記第１の方向に沿って、前記ゲート駆動モジュール２０６から遠い端部から前記ゲート駆動モジュール２０６に近い端部にかけてｎ個の前記発光素子の間隔をあけ、前記第２の発光素子アレイ２０３において、前記第２の方向に沿って、前記データ信号駆動モジュールから遠い端部から前記データ信号駆動モジュールに近い端部にかけてｍ個の前記発光素子の間隔をあけている。
【００４５】
前記第１の発光素子アレイ２０２において、前記第１の方向に沿って、連続する前記発光素子の増加差分ｙ＝ゲート駆動モジュール２０６の幅ｘ／間隔数ｎであり、即ち、前記第１の発光素子アレイ２０２の増加方向において、いずれかの前記発光素子の長さと隣接する前記発光素子の長さとの差をｙとする。
【００４６】
同様に、前記第２の発光素子アレイ２０３において、前記第２の方向に沿って、連続する前記発光素子の増加差分ｙ’＝データ信号駆動モジュール幅ｘ’／間隔数ｍであり、即ち、前記第２の発光素子アレイ２０３の増加方向において、いずれかの前記発光素子の長さと隣接する前記発光素子の長さとの差をｙ’とする。
【００４７】
例えば、前記第１の発光素子アレイ２０２が占める面積は、前記第３の発光素子アレイ２０４の面積の１／３であり、前記第２の発光素子アレイ２０３が占める面積は、前記第３の発光素子アレイ２０４の面積の１／３であり、前記第１の発光素子アレイ２０２の被覆面積は前記ゲート駆動モジュール２０６の面積よりも大きく、前記第２の発光素子アレイ２０３の被覆面積は前記データ信号駆動モジュールの面積よりも大きく、前記第１の発光素子アレイ２０２の前記第１の方向における長さを増大して、前記第２の発光素子アレイ２０３の前記第２の方向における長さを増大し、即ち前記発光素子の間隔数ｎ又は間隔数ｍを増加することによって、連続する前記発光素子の増加差分ｙ又はｙ’の値をさらに低減し、第１の方向又は第２の方向において、隣接する前記発光素子のサイズの差が小さくて、自然に移行することで、対応する領域の表示画面と前記第３の発光素子アレイ２０４の表示画面との差が小さくなる。
【００４８】
この技術的手段は、前記第１の発光素子アレイ２０２及び前記第２の発光素子アレイ２０３において、前記発光素子のサイズ変化が次第に移行するので、表示時に前記第１の発光素子アレイ２０２又は前記第２の発光素子アレイ２０３と他の領域との接続箇所における画像のずれが発生して、表示効果に影響を与えることを防止できる。
［実施例２］
【００４９】
図３に示すように、本発明の実施例に係るＡＭＯＬＥＤ表示パネルには、第１領域３０１と、前記第１領域３０１の少なくとも１つの縁部側に設けられている第２領域３０２とが設けられている。
【００５０】
前記第２領域３０２内にスイッチングユニットアレイ３１０が設けられ、前記第１領域３０１及び前記第２領域３０２内に発光素子アレイ３１１が設けられ、前記発光素子アレイ３１１のうち、前記第１領域３０１と前記第２領域３０２との間に設けられた前記発光素子が前記駆動回路を覆っている。
【００５１】
前記発光素子アレイ３１１は、基板３０９に設けられ、前記ゲート駆動モジュール３０７を第１の方向に沿って覆い、前記データ信号駆動モジュールを第１の方向と直交する第２の方向に沿って覆う。
【００５２】
前記発光素子アレイ３１１に対応する第１領域３０１の第１長辺の長さは、前記スイッチングユニットアレイ３１０に対応する第２領域３０２の第２長辺の長さよりも大きく、前記第１領域３０１の第１短辺の長さは、前記第２領域３０２の第２短辺の長さよりも大きく、前記第１領域３０１は第１投影が矩形化された後に対応する領域であり、前記第２領域３０２は第２投影が矩形化された後に対応する領域であり、前記第１投影は、前記ＡＭＯＬＥＤ表示パネルが存在する平面への前記発光素子の投影であり、前記第２投影は、前記ＡＭＯＬＥＤ表示パネルが存在する平面への前記スイッチングユニットアレイの投影である。
【００５３】
別の例として、前記発光素子アレイ３１１において、前記第１の方向に沿って、前記ゲート駆動モジュール３０７から遠い端部から前記ゲート駆動モジュール３０７に近い端部に近づくにつれて、前記第１の方向における前記発光素子の長さが逓増し、前記発光素子アレイ３１１において、前記第２の方向に沿って、前記データ信号駆動モジュールから遠い端部から前記データ信号駆動モジュールに近い端部に近づくにつれて、前記第２の方向における前記発光素子の長さが逓増している。
【００５４】
前記発光素子アレイ３１１において、前記第１の方向に沿って、前記ゲート駆動モジュール３０７から遠い端部から前記ゲート駆動モジュール３０７に近い端部にかけてｎ個の前記発光素子の間隔をあけ、前記発光素子アレイ３１１において、前記第２の方向に沿って、前記データ信号駆動モジュールから遠い端部から前記データ信号駆動モジュールに近い端部にかけてｍ個の前記発光素子の間隔をあけている。
【００５５】
前記発光素子アレイ３１１において、前記第１の方向に沿って、連続する前記発光素子の増加差分ｙ＝ゲート駆動モジュール３０７の幅ｘ／間隔数ｎであり、即ち、前記発光素子アレイ３１１の増加方向において、いずれかの前記発光素子の長さと隣接する前記発光素子の長さとの差をｙとする。
【００５６】
同様に、前記発光素子アレイ３１１において、前記第２の方向に沿って、連続する前記発光素子の増加差分ｙ’＝データ信号駆動モジュール幅ｘ’／間隔数ｍであり、即ち、前記発光素子アレイ３１１の増加方向において、いずれかの前記発光素子の長さと隣接する前記発光素子の長さとの差をｙ’とする。
【００５７】
この技術的手段は、ＡＭＯＬＥＤ表示パネル全体の前記発光素子が次第に移行し、表示層全体にわたっていずれかの２つの座標における前記発光素子の長さ又は幅の差が極めて小さくなり、さらにＡＭＯＬＥＤ表示パネルの表示画面がより自然なものとなる。
［実施例３］
【００５８】
図４に示すように、本発明の実施例に係るＡＭＯＬＥＤ表示パネルには、第１領域４０１と、前記第１領域４０１の少なくとも１つの縁部側に設けられている第２領域４０２とが設けられている。
【００５９】
前記第２領域４０２内にスイッチングユニットアレイ４０３が設けられ、前記第１領域４０１及び前記第２領域４０２内に発光素子アレイ４０６が設けられ、前記発光素子アレイ４０６のうち、前記第１領域４０１と前記第２領域４０２との間に設けられた発光素子が前記駆動回路を覆っている。
【００６０】
前記発光素子アレイ４０６は、基板４０７に設けられ、前記ゲート駆動モジュール４０５を第１の方向に沿って覆い、前記データ信号駆動モジュールを第１の方向と直交する第２の方向に沿って覆う。
【００６１】
前記発光素子に対応する第１領域４０１の第１長辺の長さは、前記スイッチングユニットアレイ４０３に対応する第２領域４０２の第２長辺の長さよりも大きく、前記第１領域４０１の第１短辺の長さは、前記第２領域４０２の第２短辺の長さよりも大きい。
【００６２】
前記第２領域４０２において、前記スイッチングユニットアレイ４０３のそれぞれは、同じサイズを有し、前記第１領域４０１において、前記発光素子のそれぞれは同じサイズを有し、前記発光素子のサイズは、前記スイッチングユニットアレイ４０３のサイズよりも大きい。
【００６３】
例えば、前記発光素子アレイ４０６において、前記第１の方向に沿って、前記発光素子と前記スイッチングユニットとの第１幅差分値ｙ＝ゲート駆動モジュール４０５の幅ｘ／間隔数ｎであり、即ち、いずれかの前記発光素子の第１幅と前記スイッチングユニットの第１幅との差分値はｘ／ｎである。
【００６４】
同様に、前記発光素子アレイ４０６において、前記第２の方向に沿って、前記発光素子と前記スイッチングユニットとの第２幅差分値ｙ’＝データ信号駆動モジュール幅ｘ’／間隔数ｍであり、即ち、いずれかの前記発光素子の第２幅と前記スイッチングユニットの第２幅との差分値はｘ’／ｍである。
【００６５】
本発明の上記目的によれば、封止カバーとＡＭＯＬＥＤ表示パネルとを含むＡＭＯＬＥＤ表示装置を提供し、前記ＡＭＯＬＥＤ表示パネルには第１領域と、前記第１領域の少なくとも１つの縁部側に設けられた第２領域とが設けられ、前記ＡＭＯＬＥＤ表示パネルは、基板と、画素ユニットとを含み、前記画素ユニットは、前記基板の表面にアレイ状に配列されて、薄膜トランジスタを含むスイッチングユニットと、前記スイッチングユニットに対応して設けられて、対応する前記薄膜トランジスタに接続された前記発光素子と、前記基板上の前記第２領域に対応する位置に設けられて、前記薄膜トランジスタに接続された駆動回路と、を含み、前記第１領域に少なくとも４つの前記スイッチングユニットからなるスイッチングユニットアレイが設けられ、前記第１領域及び前記第２領域に少なくとも４つの前記発光素子からなる前記発光素子アレイが設けられ、前記第２領域に設けられた前記発光素子は、前記駆動回路を覆う。
【００６６】
この好ましい実施例に係る表示装置の原理は、上述した好ましい実施例に係るＡＭＯＬＥＤ表示パネルの動作原理と同様であり、具体的には、上述した好ましい実施例に係るＡＭＯＬＥＤ表示パネルの動作原理を参照することができるので、ここではその説明を省略する。
【００６７】
本発明の有益な効果は以下の通りであり、本発明に係るＡＭＯＬＥＤ表示パネルは、従来のＡＭＯＬＥＤ表示パネルに比べて、ＯＬＥＤ表示デバイスがＧＯＡ回路の表面まで延在してＧＯＡ回路を隠すとともに、ＡＭＯＬＥＤ表示パネルの表示面積を広くし、ＡＭＯＬＥＤ表示パネルの画面占有率を向上させ、従来のＡＭＯＬＥＤ表示パネルにおいて、ＧＯＡ回路の表示パネルのエッジ領域の大きな面積を占有し、ＡＭＯＬＥＤ表示パネルの表示装置における画面占有率の低下を招き、フル画面の実現が困難になるという技術的問題を解決する。
【００６８】
要約すると、本発明は、好ましい実施例を参照して説明したが、上述した好ましい実施例は、本発明を制限するためのものではなく、当業者であれば、本発明の精神と範囲を逸脱しない限り、様々な変更や修飾を加えることができ、したがって、本発明の保護範囲は、特許請求の範囲によって準じされる。
【図１】
0006845377.tif 000002
【図２Ａ】
0006845377.tif 000003
【図２Ｂ】
0006845377.tif 000004
【図２Ｃ】
0006845377.tif 000005
【図３】
0006845377.tif 000006
【図４】
0006845377.tif 000007